【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  自動車内に設置される車載コンピュータと、デジタルカメラ内の画像データを吸上げる吸上げ手段と、前記吸上げ手段による画像データの吸上げを指示する指示手段と、前記車載コンピュータで所定機能を実行している時に、画像データの吸上げ処理が指示されたとき、前記画像データの吸上げ処理を待機するよう制御する制御手段とを備えることを特徴とするカメラシステム。
【請求項２】  請求項１に記載のカメラシステムにおいて、前記所定機能は、カーナビゲーション機能であることを特徴とするカメラシステム。
【請求項３】  請求項１に記載のカメラシステムにおいて、画像データの吸上げ処理が前記所定機能の実行に影響を及ぼすか判定する判定手段と、前記判定手段の判定に応じて画像データの吸上げ処理を停止するよう制御する制御手段とを備えたことを特徴とするカメラシステム。
【請求項４】  自動車内に設置される車載コンピュータと、デジタルカメラ内の画像データを吸上げる吸上げ手段と、前記吸上げ手段による画像データの吸上げ処理中に前記車載コンピュータで所定機能が実行された場合に、前記画像データの吸上げ処理を一時中断するよう制御する制御手段とを備えることを特徴とするカメラシステム。
【請求項５】  請求項４に記載のカメラシステムにおいて、前記所定機能は、カーナビゲーション機能であることを特徴とするカメラシステム。
【請求項６】  請求項４に記載のカメラシステムにおいて、画像データの吸上げ処理が前記所定機能の実行に影響を及ぼすか判定する判定手段と、前記判定手段の判定に応じて画像データの吸上げ処理を停止するよう制御する制御手段とを備えたことを特徴とするカメラシステム。
【手続補正２】
【補正対象書類名】明細書
【補正対象項目名】０００６
【補正方法】変更
【補正の内容】
【０００６】
【課題を解決するための手段】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
請求項１に記載の発明では、カメラシステムにおいて、自動車内に設置される車載コンピュータと、デジタルカメラ内の画像データを吸上げる吸上げ手段と、前記吸上げ手段による画像データの吸上げを指示する指示手段と、前記車載コンピュータで所定機能を実行している時に、画像データの吸上げ処理が指示されたとき、前記画像データの吸上げ処理を待機するよう制御する制御手段とを備える構成とした。これにより、画像データの吸上げ処理により、車載コンピュータで実行している所定機能に悪影響を及ぼすことがない。
【手続補正１５】
【補正対象書類名】明細書
【補正対象項目名】００１９
【補正方法】変更
【補正の内容】
【００１９】
請求項２に記載の発明では、請求項１に記載のカメラシステムにおいて、
前記所定機能は、カーナビゲーション機能である構成とした。
請求項３に記載の発明では、請求項１に記載のカメラシステムにおいて、
画像データの吸上げ処理が前記所定機能の実行に影響を及ぼすか判定する判定手段と、前記判定手段の判定に応じて画像データの吸上げ処理を停止するよう制御する制御手段とを備えた構成とした。
【手続補正１６】
【補正対象書類名】明細書
【補正対象項目名】００２０
【補正方法】変更
【補正の内容】
【００２０】
請求項４に記載の発明では、カメラシステムにおいて、自動車内に設置される車載コンピュータと、デジタルカメラ内の画像データを吸上げる吸上げ手段と、前記吸上げ手段による画像データの吸上げ処理中に前記車載コンピュータで所定機能が実行された場合に、前記画像データの吸上げ処理を一時中断するよう制御する制御手段とを備える構成とした。これにより、画像データの吸上げ処理により、車載コンピュータで実行する所定機能に悪影響を及ぼすことがない。
【手続補正１７】
【補正対象書類名】明細書
【補正対象項目名】００２１
【補正方法】変更
【補正の内容】
【００２１】
請求項５に記載の発明では、請求項４に記載のカメラシステムにおいて、
前記所定機能は、カーナビゲーション機能である構成とした。
請求項６に記載の発明では、請求項４に記載のカメラシステムにおいて、
画像データの吸上げ処理が前記所定機能の実行に影響を及ぼすか判定する判定手段と、前記判定手段の判定に応じて画像データの吸上げ処理を停止するよう制御する制御手段とを備えた構成とした。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】変更
【補正の内容】
【００３５】
【発明の実施の形態】
以下に、図面を用いて本発明の実施の形態について説明する。
（第１実施形態）
図１は、第１実施形態のカメラシステムの概要を示す機能ブロック図である。
図１において、第１実施形態のカメラシステムは、カメラ付き携帯電話１、プロバイダ２及び８、認証サーバ３、画像蓄積サーバ４、プリントサーバ５、パソコン７により構成される。
【手続補正３２】
【補正対象書類名】明細書
【補正対象項目名】０１６６
【補正方法】変更
【補正の内容】
【０１６６】
ステップＳ５００１では、ＧＰＳセンサ１１１の機能を使用してレンタカーの返却場所との距離が所定距離以内になったか否かを判定する。なお、車載コンピュータ２０１は、ナビゲーションの目的地としてレンタカーの店舗が選択されると、目的地として選択された場所をレンタカー返却場所であると判断する。例えば、ここでの所定距離は１０ｋｍとする。所定距離以内である場合にはステップＳ５００２に進み、所定距離以内でない場合には判定を継続する。ステップＳ５００２では、レンタカーが停止中であるか否かを検出する。自動車が停止中である場合にはステップＳ５００３に進み、停止中でない場合には検出を継続する。
停止中で無い時は、運転に集中させるため、停止中のときだけ表示を切り換え、操作させるためである。
【手続補正３３】
【補正対象書類名】図面
【補正対象項目名】図２３
【補正方法】変更
【補正の内容】
【図２３】
2004304733.tif 000001